Podtech/llm-jp-corpus-v4-ja_patent huggingface dataset:
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
複数の第１の凸部を有する表面を備える合成高分子膜であって、
前記合成高分子膜の法線方向から見たとき、前記複数の第１の凸部の２次元的な大きさは２０ｎｍ超５００ｎｍ未満の範囲内にあり、
前記複数の第１の凸部のそれぞれの側面の法線の、前記合成高分子膜の法線方向に垂直な方向に対する傾斜角について、ある点における前記傾斜角を第１傾斜角とし、前記ある点よりも、該第１の凸部の先端からの前記合成高分子膜の法線方向における距離が大きい、他の点における前記傾斜角を第２傾斜角とすると、
前記複数の第１の凸部のうちの少なくとも１つの第１の凸部は、前記第２傾斜角が前記第１傾斜角よりも大きい部分を含み、かつ、先端に略円錐形の部分を含み、
前記表面が殺菌効果を有する、合成高分子膜。
【請求項２】
前記複数の第１の凸部のそれぞれの側面の法線の前記傾斜角について、前記他の点よりも、該第１の凸部の先端からの前記合成高分子膜の法線方向における距離が大きい、さらなる点における前記傾斜角を第３傾斜角とすると、
前記少なくとも１つの第１の凸部は、前記第２傾斜角が前記第１傾斜角よりも大きく、前記第３傾斜角が前記第２傾斜角よりも小さい部分を含む、請求項１に記載の合成高分子膜。
【請求項３】
前記複数の第１の凸部は、微生物と接触したときにしなることができる、請求項１または２に記載の合成高分子膜。
【請求項４】
前記表面のヘキサデカンに対する静的接触角が５１°以下である、請求項１から３のいずれかに記載の合成高分子膜。
【請求項５】
前記表面のヘキサデカンに対する静的接触角が３１°以下である、請求項１から４のいずれかに記載の合成高分子膜。
【請求項６】
前記表面の水に対する静的接触角が１３３°以下である、請求項１から５のいずれかに記載の合成高分子膜。
【請求項７】
前記複数の第１の凸部の隣接間距離は２０ｎｍ超１０００ｎｍ以下である、請求項１から６のいずれかに記載の合成高分子膜。
【請求項８】
前記複数の第１の凸部の高さは、５０ｎｍ以上５００ｎｍ未満である、請求項１から７のいずれかに記載の合成高分子膜。
【請求項９】
潤滑剤をさらに含む、請求項１から８のいずれかに記載の合成高分子膜。
【請求項１０】
前記潤滑剤のＨＬＢ値は、７未満である、請求項９に記載の合成高分子膜。
【請求項１１】
離型剤で表面が処理されている、請求項１から１０のいずれかに記載の合成高分子膜。
【請求項１２】
油で表面が処理されている、請求項１から１１のいずれかに記載の合成高分子膜。
【請求項１３】
請求項１から１２のいずれかに記載の合成高分子膜と、
表面に油が付与されたカバーフィルムとを有し、
前記カバーフィルムは、前記カバーフィルムの前記表面に付与された前記油が前記複数の第１の凸部に接触するように配置されている、積層体。
【請求項１４】
請求項１から１２のいずれかに記載の合成高分子膜の前記表面に、気体または液体を接触させることによって、前記気体または液体を殺菌する方法。
【請求項１５】
請求項１から１２のいずれかに記載の合成高分子膜であって、前記表面に微生物が付着した合成高分子膜を用意する工程（ａ）と、
前記表面を水またはアルコールを含ませた布で拭くことによって、前記微生物を除去する工程（ｂ）と
を包含する、合成高分子膜の表面の再活性化方法。
【手続補正２】
【補正対象書類名】明細書
【補正対象項目名】発明の名称
【補正方法】変更
【補正の内容】
【発明の名称】殺菌作用を備えた表面を有する合成高分子膜、合成高分子膜を有する積層体、合成高分子膜の表面を用いた殺菌方法および合成高分子膜の表面の再活性化方法
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
表面シート及び吸収コアを有する吸収性物品であって、
前記吸収コアを含む本体部と、
多数の粒状体及び前記多数の粒状体を包み、伸長可能な包装体を含む粒状層とを備え、
前記粒状層は、前記表面シートよりも非肌当接面側において、平面視にて前記本体部の少なくとも一部に重なる吸収性物品。
【請求項２】
前記包装体における肌当接面側の面及び非肌当接面側の面のうち少なくとも一方の面は、伸縮可能である請求項１に記載の吸収性物品。
【請求項３】
前記吸収コアの非肌当接面側に配置された裏面シート及び前記吸収コアを覆うコアラップを備え、
前記表面シート、前記裏面シート及び前記コアラップを含むシートにおける平面視で前記粒状層と重なる部分のうち少なくとも一つは、伸長可能である請求項１又は２に記載の吸収性物品。
【請求項４】
前記表面シート、前記裏面シート及び前記コアラップを含むシートにおける平面視で前記粒状層と重なる部分は、伸長可能である請求項３に記載の吸収性物品。
【請求項５】
前記包装体及び伸長可能である前記シートは、長手方向及び幅方向の少なくともいずれかの方向に伸長し、
前記包装体と伸長可能である前記シートとが伸長する方向は、一致する請求項３又は請求項４に記載の吸収性物品。
【請求項６】
前記粒状層は、前記包装体により分けられた複数の粒状区分から構成される請求項１乃至５のいずれか一項に記載の吸収性物品。
【請求項７】
前記粒状層は、前記吸収コアと前記裏面シートとの間に設けられる請求項３乃至５のいずれか一項に記載の吸収性物品。
【請求項８】
前記吸収コアは、トウを有する繊維を含む請求項１乃至７のいずれか一項に記載の吸収性物品。
【請求項９】
前記粒状体は、樹脂発泡ビーズ粒である請求項１乃至８のいずれか一項に記載の吸収性物品。
【請求項１０】
前記粒状層は、前記吸収コアと前記裏面シートとの間に設けられ、吸水性を有する繊維を含む請求項３、４、５及び７のいずれか一項に記載の吸収性物品。
【請求項１１】
表面シート及び吸収コアを有する吸収性物品であって、
多数の粒状体及び前記多数の粒状体を包む伸縮性を有する包装体を含む粒状層を備え、
前記粒状層は、前記包装体に対する圧力に応じて、前記粒状体が前記包装体内を移動し、着用者の体の形状に追従するように前記吸収コアの形状を変形させる吸収性物品。
【手続補正２】
【補正対象書類名】明細書
【補正対象項目名】００１３
【補正方法】変更
【補正の内容】
【００１３】
吸収性物品１は、表面シート１０と、裏面シート２０と、表面シート１０と裏面シート２０との間に設けられる吸収体３０と、吸収体３０より非肌当接面側に設けられる粒状層６０とを有する。吸収体３０には、吸収性物品１の幅方向Ｗの中心ＷＣを含む中央領域ＣＲに設けられる厚さ方向Ｔに突出された中高部３１が設けられる。粒状層６０は、平面視において中高部３１の少なくとも一部に重なるように設けられる。吸収性物品１の幅方向Ｗにおいて中央領域ＣＲに隣り合う側部領域ＳＲには、幅方向Ｗの外側に延出するウイング部４０及びヒップフラップ部５０が設けられる。側部領域ＳＲは、ウイング部４０の長手方向Ｌの前方側の根元部分より幅方向Ｗの外側の領域である。中央領域ＣＲは、幅方向Ｗの中心ＷＣを含み、ウイング部４０の長手方向Ｌの前方側の根元部分より幅方向Ｗの内側の領域である。ここで、吸収性物品１の平面視とは、厚さ方向Ｔにおいて離れた位置から展開状態の吸収性物品１を視認したものである。また、吸収性物品１の展開状態とは、図１に示す状態であり、吸収性物品が折り畳まれてなく、ウイング部４０及びヒップフラップ部５０が厚さ方向Ｔにおいて中央領域ＣＲに重なっていない状態である。
【手続補正書】
【提出日】平成28年12月14日(2016.12.14)
【手続補正１】
【補正対象書類名】特許請求の範囲
【補正対象項目名】請求項１
【補正方法】変更
【補正の内容】
【請求項１】
図柄変動ゲームで予め定めた有利条件が成立した後に、遊技者に有利となる有利状態が生起される遊技機において、
演出を実行する演出実行手段と、
前記演出実行手段に演出を実行させる制御を行う演出制御手段と、を備え、
前記演出制御手段は、遊技者にとって不利であると特定可能な不利演出を実行させるための不利演出制御と、前記不利演出よりも遊技者にとって有利であると特定可能な有利演出を実行させるための有利演出制御とを行うとともに、前記不利演出制御に基づいて前記演出実行手段に前記不利演出が実行されている場合において、成立タイミングが定められていない特定条件が成立したときには、前記有利演出制御に基づいて前記演出実行手段に前記有利演出を実行させる制御を行う遊技機。
【手続補正２】
【補正対象書類名】特許請求の範囲
【補正対象項目名】請求項２
【補正方法】変更
【補正の内容】
【請求項２】
前記演出制御手段は、特定期間において前記有利演出制御と前記不利演出制御とを継続して行うとともに、前記特定期間の開始後において、前記不利演出制御に基づいて前記演出実行手段に前記不利演出が実行されている場合に前記特定条件が成立したときには、前記不利演出制御に基づく前記不利演出を実行させずに、前記特定条件の成立後における前記有利演出制御に基づく前記有利演出を前記演出実行手段に実行させる制御を行う請求項１に記載の遊技機。
【手続補正３】
【補正対象書類名】特許請求の範囲
【補正対象項目名】請求項６
【補正方法】変更
【補正の内容】
【請求項６】
図柄変動ゲームで予め定めた有利条件が成立した後に、遊技者に有利となる有利状態が生起される遊技機において、
遊技球が入球可能な入球手段と、
演出を実行する演出実行手段と、
前記演出実行手段に演出を実行させる制御を行う演出制御手段と、を備え、
前記演出制御手段は、遊技者にとって不利であると特定可能な不利演出を実行させるための不利演出制御と、前記不利演出よりも遊技者にとって有利であると特定可能な有利演出を実行させるための有利演出制御とを行うとともに、前記入球手段への遊技球の入球に基づく特定条件が成立していないときには、前記有利演出制御に基づく前記有利演出を実行させることなく、前記不利演出制御に基づいて前記演出実行手段に前記不利演出を実行させる制御を行い、前記特定条件が成立したときには、前記不利演出制御に基づく前記不利演出を実行させることなく、前記有利演出制御に基づいて前記演出実行手段に前記有利演出を実行させる制御を行う遊技機。
【手続補正４】
【補正対象書類名】明細書
【補正対象項目名】０００７
【補正方法】変更
【補正の内容】
【０００７】
上記問題点を解決する遊技機は、図柄変動ゲームで予め定めた有利条件が成立した後に、遊技者に有利となる有利状態が生起される遊技機において、演出を実行する演出実行手段と、前記演出実行手段に演出を実行させる制御を行う演出制御手段と、を備え、前記演出制御手段は、遊技者にとって不利であると特定可能な不利演出を実行させるための不利演出制御と、前記不利演出よりも遊技者にとって有利であると特定可能な有利演出を実行させるための有利演出制御とを行うとともに、前記不利演出制御に基づいて前記演出実行手段に前記不利演出が実行されている場合において、成立タイミングが定められていない特定条件が成立したときには、前記有利演出制御に基づいて前記演出実行手段に前記有利演出を実行させる制御を行うことを要旨とする。
【手続補正５】
【補正対象書類名】明細書
【補正対象項目名】０００８
【補正方法】変更
【補正の内容】
【０００８】
上記遊技機について、前記演出制御手段は、特定期間において前記有利演出制御と前記不利演出制御とを継続して行うとともに、前記特定期間の開始後において、前記不利演出制御に基づいて前記演出実行手段に前記不利演出が実行されている場合に前記特定条件が成立したときには、前記不利演出制御に基づく前記不利演出を実行させずに、前記特定条件の成立後における前記有利演出制御に基づく前記有利演出を前記演出実行手段に実行させる制御を行う構成としてもよい。
【手続補正６】
【補正対象書類名】明細書
【補正対象項目名】００１１
【補正方法】変更
【補正の内容】
【００１１】
また、上記問題点を解決する遊技機は、図柄変動ゲームで予め定めた有利条件が成立した後に、遊技者に有利となる有利状態が生起される遊技機において、遊技球が入球可能な入球手段と、演出を実行する演出実行手段と、前記演出実行手段に演出を実行させる制御を行う演出制御手段と、を備え、前記演出制御手段は、遊技者にとって不利であると特定可能な不利演出を実行させるための不利演出制御と、前記不利演出よりも遊技者にとって有利であると特定可能な有利演出を実行させるための有利演出制御とを行うとともに、前記入球手段への遊技球の入球に基づく特定条件が成立していないときには、前記有利演出制御に基づく前記有利演出を実行させることなく、前記不利演出制御に基づいて前記演出実行手段に前記不利演出を実行させる制御を行い、前記特定条件が成立したときには、前記不利演出制御に基づく前記不利演出を実行させることなく、前記有利演出制御に基づいて前記演出実行手段に前記有利演出を実行させる制御を行うことを要旨とする。
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
１つのパッケージに収納される複数のパンツ型の使い捨ておむつであって、
前記おむつの各々が、前記おむつの幅方向両側縁部に配置される一対の第１装飾域と、前記幅方向中央域に配置されて前記第１装飾域の間に位置する第２装飾域とを備え、
前記一対の第１装飾域は、同一の図柄又は互いに異なる図柄を有し、
前記第２装飾域は前記第１装飾域とは異なる図柄を有し、
前記幅方向において前記第２装飾域の寸法の方が、前記第１装飾域の寸法より大きく、
前記おむつを製造するときに前記おむつを個別に切断する際の切断位置の位置ずれを±Ａｍｍとしたとき、前記幅方向において互いに隣り合う２つの前記おむつの間に位置する前記第１装飾域の寸法が２Ａ+１０ｍｍ以上であり、
少なくとも１つの前記おむつの前記第２装飾域の図柄が、少なくとも１つの別の前記おむつの前記第２装飾域の図柄と異なることを特徴とする、複数のおむつ。
【請求項２】
前記おむつの胴回り開口縁に沿って第３装飾域が前記幅方向に延び、
前記第３装飾域は、前記第１及び第２装飾域に連接し、
前記第３装飾域に印刷される図柄が、前記第２装飾域の図柄とは異なるとともに、前記第１装飾域の図柄と同一または異なる、請求項１に記載のおむつ。
【請求項３】
複数の前記おむつを積み重ねたとき、積み重ねた前記おむつの集積体の少なくとも１つの側面に、前記第１〜第３装飾域のいずれかの一部が露出し、かつ、前記第１〜第３装飾域の図柄とは異なる集合図柄が表れる、請求項２に記載のおむつ。
【請求項４】
前記第１装飾域及び前記第２装飾域の図柄が、均一な色、濃淡が次第に変化する色、濃淡が段階的に変化する色、絵柄、文字柄、及び幾何学模様のうちの少なくとも１つ又はこれらの組合せである、請求項１〜３のいずれかに記載のおむつ。
【請求項５】
前記第３装飾域の図柄が、均一な色、濃淡が次第に変化する色、濃淡が段階的に変化する色、絵柄、文字柄、及び幾何学模様のうちの少なくとも１つ又はこれらの組合せである、請求項２又は３に記載のおむつ。
【請求項６】
吸収体を備えるパンツ型の使い捨ておむつの製造方法であって、
シート材を機械方向に連続して供給する工程と、
前記シート材において、前記機械方向に交互に並ぶとともに前記機械方向に直交する交差方向に延在する第１印刷域及び第２印刷域のそれぞれに図柄を印刷する工程と、
前記第２印刷域の中央域に前記吸収体を接合する工程と、
前記シート材を、前記吸収体を内側にして前記機械方向に延びる折返し線に沿って二つ折りにする工程と、
前記第１印刷域を前記交差方向に延びる切断予定線に沿って前記シート材を切断して個別のおむつを得る工程と、
複数の前記おむつをパッケージに収納する工程とを含み、
隣り合う前記第１印刷域の図柄は互いに同一または異なっており、
前記第２印刷域には前記第１印刷域とは異なる図柄が印刷され、さらに、隣り合う前記第２印刷域の図柄が互いに異なり、
前記切断予定線に対する実際の切断位置の位置ずれを±Ａｍｍとしたとき、前記機械方向における前記第１印刷域の寸法が２Ａ+１０ｍｍ以上であることを特徴とする、おむつの製造方法。
【請求項７】
さらに、前記シート材において前記機械方向に互いに平行に延びる両側縁に沿って第３印刷域が延在し、
前記第３印刷域は、前記第１及び第２印刷域に連接し、
前記第３印刷域に印刷される図柄が、前記第２印刷域の図柄とは異なるとともに、前記第１印刷域の図柄と同一または異なる、請求項６に記載のおむつの製造方法。
【請求項８】
複数の前記おむつを積み重ね集積体としたとき、前記集積体の少なくとも１つの側面に、前記第１〜第３印刷域のいずれかの一部が露出し、かつ、前記第１〜第３印刷域に印刷された図柄とは異なる集合図柄が表れるようにして、前記第１〜第３印刷域の図柄を印刷する、請求項７に記載のおむつの製造方法。
【請求項９】
前記第１印刷域及び前記第２印刷域の図柄が、均一な色、濃淡が次第に変化する色、濃淡が段階的に変化する色、絵柄、文字柄、及び幾何学模様のうちの少なくとも１つ又はこれらの組合せである、請求項６〜８のいずれかに記載のおむつの製造方法。
【請求項１０】
前記第３印刷域の図柄が、均一な色、濃淡が次第に変化する色、濃淡が段階的に変化する色、絵柄、文字柄、及び幾何学模様のうちの少なくとも１つ又はこれらの組合せである、請求項７又は８に記載のおむつの製造方法。
【手続補正２】
【補正対象書類名】明細書
【補正対象項目名】０００５
【補正方法】変更
【補正の内容】
【０００５】
本発明は従来の印刷されたおむつを改良し、優れた外観を有する複数のパンツ型のおむつと、その製造方法を提供することを課題とする。
【手続補正３】
【補正対象書類名】明細書
【補正対象項目名】０００８
【補正方法】変更
【補正の内容】
【０００８】
本発明では、おむつの両側縁に位置する第１装飾域の幅がおむつを切断する際の切断位置の位置ずれ幅より大きいことにより、優れた外観を有する複数のパンツ型の使い捨ておむつと、その製造方法が提供される。
【手続補正４】
【補正対象書類名】明細書
【補正対象項目名】００１０
【補正方法】変更
【補正の内容】
【００１０】
下記の実施の形態は、添付の図面に示すパンツ型の使い捨ておむつ１（以下おむつ１と呼ぶ）に関し、発明の不可欠な構成ばかりではなく、選択的及び好ましい構成を含む。以下、添付の図面を参照して、この発明におむつ１の実施形態の例を説明する。
【手続補正５】
【補正対象書類名】明細書
【補正対象項目名】００１３
【補正方法】変更
【補正の内容】
【００１３】
第１装飾域１１及び第２装飾域１２の図柄は、均一な色、濃淡が次第に変化する色、濃淡が段階的に変化する色、絵柄、文字柄、及び幾何学模様のうちの少なくとも１つ又はこれらの組合せであるうちの少なくとも１つ又はこれらの組合せである。本願でいう絵柄とは、自然物（例えば動植物、風景等）又は人工物（例えば建物、自動車）を図案化した模様を意味し、文字柄とは文字（例えば漢字、数字、アルファベット）を図案化した模様を意味する。また、本願でいう色とは、有彩色及び無彩色を意味する。なお、おむつ１を構成するシート部材（典型的には不織布）の生地の色は、本願でいう色には含まれない。但し、絵柄及び文字柄の背景にシート部材の生地が露出していてもよい。
【手続補正６】
【補正対象書類名】明細書
【補正対象項目名】００１７
【補正方法】変更
【補正の内容】
【００１７】
図３，４には第１〜第３装飾域１１，１２，１３の図柄が幾何学模様である場合を図示している。しかし、第１〜第３装飾域１１，１２，１３の図柄として均一な色、濃淡が次第に変化する色、濃淡が段階的に変化する色、絵柄、文字柄、及び幾何学模様のうちの少なくとも１つ又はこれらの組合せを適宜選択することにより、おむつ１の集積体２１の少なくとも１つの側面２２に第１〜第３装飾域１１，１２，１３の図柄とは異なる集合図柄２３を表せることは言うまでもない。また、パッケージ２に収納する際のおむつ１の折り畳み方及びパッケージ２に収納する際のおむつ１の向きを考慮して、パッケージ２のどの側面２２に第１〜第３装飾域１１，１２，１３とは異なる集合図柄２３を表わすかを決めることができる。
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
吸収体を含む本体部と、
前記本体部よりも幅方向の外側に配置され、かつ使用時に非肌対向面側に折り返し可能なウイング部と、を有する吸収性物品であって、
前記ウイング部には、多数の粒状体を含む粒状層が設けられている、吸収性物品。
【請求項２】
前記ウイング部は、前記吸収性物品の前後方向に延びる折り目を基点に、非肌対向面側に折り返されるように構成されており、
前記粒状層は、前記折り目を基点に前記ウイング部が折り返されていない状態において、前記折り目よりも幅方向の外側に配置される、請求項１に記載の吸収性物品。
【請求項３】
前記粒状層は、前記吸収性物品の厚み方向において前記折り目に重ならない、請求項２に記載の吸収性物品。
【請求項４】
前記粒状層は、前記吸収性物品の平面視において分離壁により分けられた複数の粒状区分を有する、請求項１から請求項３のいずれかに記載の吸収性物品。
【請求項５】
前記粒状層は、前記ウイング部と前記本体部に配置されている、請求項１から請求項４のいずれかに記載の吸収性物品。
【請求項６】
前記ウイング部の前記粒状体の目付は、前記本体部の前記粒状体の目付よりも高い、請求項５に記載の吸収性物品。
【請求項７】
前記粒状層よりも非肌対向面側に位置する非肌面シートを備え、
前記非肌面シートの非肌対向面には、前記吸収性物品を下着に止めるための粘着剤が塗布された粘着領域が設けられており、
前記粒状層は、前記吸収性物品の展開状態において前記粘着領域に重なる、請求項１から請求項６のいずれかに記載の吸収性物品。
【請求項８】
吸収体を含む本体部と、
前記本体部よりも幅方向の外側に配置され、かつ使用時に非肌対向面側に折り返し可能なウイング部と、を有する吸収性物品であって、
前記ウイング部には、前記ウイング部に対する圧力に応じて移動可能な多数の粒状体を含み、かつ着用者の身体の形状に追従するように前記ウイング部の形状を変形させる層が設けられている、吸収性物品。
【手続補正書】
【提出日】平成29年9月1日(2017.9.1)
【手続補正１】
【補正対象書類名】明細書
【補正対象項目名】００２４
【補正方法】変更
【補正の内容】
【００２４】
このバックラッシュ調整手段１８ｂは、ゴム部材２７と、ねじ孔２８と、ねじ杆２９と、スペーサ３０と、ロックナット３１とを備える。
このうちのゴム部材２７は、全体が欠円筒状であり、周方向一部分に存在する不連続部を前記ウォームホイール５ａ側（図１〜２の上側）に配置した状態で、前記転がり軸受９ｃの外輪２６の円筒状の外周面と、前記ウォーム軸収容部２２の軸方向他端部の円筒状の内周面との間に挟持されている。本例の場合、このゴム部材２７の内周面は、前記外輪２６の外周面に接着固定されている。又、本例の場合、この外輪２６の外周面のうち、前記ゴム部材２７の不連続部を通じて、このゴム部材２７の外部に露出した部分である、前記ウォームホイール５ａ側の端部（図１〜２の上端部）に、このウォームホイール５ａと前記ウォーム歯７ａとの噛み合い方向（図１〜２の上下方向）に対して直交する平面部３２が設けられている。この平面部３２の面積は、後述するねじ杆２９の先端面の面積よりも大きくなっている。
【手続補正書】
【提出日】平成29年7月3日(2017.7.3)
【手続補正１】
【補正対象書類名】明細書
【補正対象項目名】００２８
【補正方法】変更
【補正の内容】
【００２８】
上記９）の切削液タンクによれば、噴射流体として切削液タンク内の切削液の一部が使用されているため、別の流体を用意して供給する必要がなく、また、装置構成もより単純化されるので、コストが抑えられる。
しかも、上記９）の切削液タンクによれば、噴射ヘッドが、タンク本体から噴射口に供給される切削液の流れの力で作動する油圧モータによって駆動されるので、経済的である。
【手続補正２】
【補正対象書類名】図面
【補正対象項目名】図３
【補正方法】変更
【補正の内容】
【図３】
2016120562.tif 000001
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
ベッド、ストレッチャ又は車椅子に取り付け可能な補助部材と、
この補助部材に着脱自在に取り付けられる第１取付部材と、
点滴台の支柱に係合可能の第２取付部材と、
前記第１取付部材と前記第２取付部材とを連結する連結部材と、
を有し、
前記第２取付部材は、
前記支柱の出入を可能にする開口部を備えて前記支柱に係合する枠状の本体部と、
前記開口部の一端部側にて前記本体部に回転可能に設けられ、その先端が前記開口部の他端部側にて前記本体部の内面に係止される開閉部材と、
を有することを特徴とする連結治具。
【請求項２】
前記車椅子は、両側に設けられた車輪と、前記車輪の間に位置して人が座る座部と、前記車輪の前方に配置されて前記車輪と共に前記車椅子を移動させる第２車輪と、人が足を載せるフットレストと、これらの車輪、第２車輪及び座部を支持する骨組みとなるフレームとを有し、
前記補助部材は、前記フレームに取り付けられていることを特徴とする請求項１に記載の連結治具。
【請求項３】
前記開閉部材はＵ字形をなし、その湾曲部が前記開口部の他端部側にて前記本体部に係止される開閉部材の先端を構成し、その両端部が互いに向き合うように垂直に曲げられて、この屈曲両端部が前記本体部の内面に回転可能に支持されており、
この両端部の前記本体部内面に支持される位置が、前記開口部の一端部側から他端部側に向かう方向について異なる位置に設けられていることを特徴とする請求項１又は２に記載の連結治具。
【請求項４】
前記連結部材は、柔軟性を有することを特徴とする請求項１乃至３のいずれか１項に記載の連結治具。
【請求項５】
前記連結部材は、
前記第１取付部材に連結され、剛体である第１部材と、
前記第２取付部材に連結され、剛体である第２部材と、
前記第１部材及び前記第２部材を、相対的に回転可能に連結する関節部と、
を有することを特徴とする請求項１乃至３のいずれか１項に記載の連結治具。
【請求項６】
前記第１取付部材は、
頭部及びネジ部を有するボルトと、
前記ネジ部に嵌合される筒状の弾力性を有する膨出部材と、
前記ボルトに螺合し、前記頭部との間で前記膨出部材を長手方向に押し込んで、前記膨出部材の外径を増減するナットと、
を有し、
ベッド、ストレッチャ又は車椅子に設けられたパイプ内に前記膨出部材が挿入されて、前記頭部と前記ナットとの間の間隔を調整することにより、前記膨出部材を膨出させて、前記パイプに前記膨出部材を摩擦係合させることを特徴とする請求項１乃至５のいずれか１項に記載の連結治具。
【請求項７】
前記第１取付部材は、
外径が同一で長手方向の相互に当接する端面が同一方向に傾斜した第１円筒部材及び第２円筒部材と、
頭部及びネジ部を有し前記ネジ部が前記第１円筒部材及び第２円筒部材内に挿通されたボルトと、
前記ネジ部に螺合し、前記頭部との間で、前記第１円筒部材及び第２円筒部材を締め付けるナットと、
を有し、
ベッド、ストレッチャ又は車椅子に設けられたパイプ内に前記第１円筒部材及び前記第２円筒部材が挿入されて、前記頭部と前記ナットとの間の間隔を調整することにより、前記第１円筒部材の軸と前記第２円筒部材の軸とを相互に偏芯させて、その外面を前記パイプに摩擦係合させることを特徴とする請求項１乃至５のいずれか１項に記載の連結治具。
【請求項８】
前記連結部材は、ロープ、チェーン、ゴムチューブ、ワイヤ、又は蛇腹状のパイプであることを特徴とする請求項１、２、３、４、又は６のいずれか１項に記載の連結治具。
【請求項９】
各１対の前方車輪及び後方車輪と、
左右の前記車輪間に位置して人が座る座部と、
人が足を載せるフットレストと、
前記車輪、前記座部及び前記フットレストを支持する骨組みとなるフレームと、
前記フレームに取り付けられ、円筒部材が挿入可能なパイプを備えている補助部材と、
を有することを特徴とする車椅子。
【手続補正２】
【補正対象書類名】明細書
【補正対象項目名】００１１
【補正方法】変更
【補正の内容】
【００１１】
本発明に係る連結治具は、ベッド、ストレッチャ又は車椅子に取り付け可能な補助部材と、この補助部材に着脱自在に取り付けられる第１取付部材と、点滴台の支柱に係合可能の第２取付部材と、前記第１取付部材と前記第２取付部材とを連結する連結部材と、を有し、前記第２取付部材は、前記支柱の出入を可能にする開口部を備えて前記支柱に係合する枠状の本体部と、前記開口部の一端部側にて前記本体部に回転可能に設けられ、その先端が前記開口部の他端部側にて前記本体部の内面に係止される開閉部材と、を有することを特徴とする。
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
所定の始動領域を遊技球が通過すると、判定情報を取得する取得手段と、
前記取得手段によって取得された判定情報を所定の上限数まで記憶可能な記憶手段と、
前記記憶手段に記憶された判定情報のうちのいずれかに基づいて、遊技者にとって有利な特別遊技を行うか否かを判定する特別遊技判定を行う特別遊技判定手段と、
前記特別遊技判定手段によって特別遊技判定が行われると、表示手段において、所定の演出図柄を変動させた後に当該特別遊技判定の判定結果を示すように停止させる図柄制御手段と、
前記表示手段において、前記演出図柄の背面に所定の背景画像を表示させることが可能な背景画像表示制御手段と、
前記図柄制御手段によって演出図柄が変動されているときに、前記表示手段において、前記特別遊技判定の判定結果に基づき前記演出図柄とは異なる所定の演出画像を表示させる所定の演出を実行可能な第１演出実行手段と、
前記取得手段によって判定情報が取得されると、当該判定情報に基づく特別遊技判定が行われる前に、当該判定情報に基づいて前記特別遊技を行うか否かを判定する事前判定を行う事前判定手段と、
前記記憶手段に判定情報が記憶されると、当該判定情報に対応する保留画像を通常表示態様で前記表示手段の所定の保留表示領域に表示させた後に、当該判定情報に基づき行われた事前判定の判定結果に応じて、当該判定情報に対応する保留画像を前記通常表示態様とは異なる特殊表示態様に変化させることが可能な保留表示制御手段と、
前記保留表示制御手段によって特殊表示態様への変化が行われる場合、前記背景画像表示制御手段によって表示された背景画像および前記第１演出実行手段によって実行された演出にかかる演出画像を遮蔽する一方で、前記図柄制御手段によって表示された演出図柄および前記保留表示制御手段によって表示されたいずれの保留画像も遮蔽することがない遮蔽画像を前記表示手段に表示させる遮蔽演出を実行可能な第２演出実行手段と、
前記第２演出実行手段によって遮蔽演出が行われているときに、前記保留表示制御手段によって表示されている保留画像が前記特殊表示態様に変化される可能性があることを示唆する示唆演出を前記保留表示領域において実行可能な第３演出実行手段と、
を備え、
前記第２演出実行手段は、
前記図柄制御手段によって図柄が複数回変動される間、前記遮蔽演出を継続して行うことが可能であり、
前記保留表示制御手段は、
前記第２演出実行手段によって遮蔽演出が複数回の変動を跨いで行われる場合、当該遮蔽演出が行われている複数回の変動のうちのいずれかの変動で前記特殊表示態様へ変化される保留画像を前記特殊表示態様に変化させることが可能であり、前記第３演出実行手段によって示唆演出が行われた後に、前記特殊表示態様へ変化される保留画像を前記特殊表示態様に変化させ、
前記第２演出実行手段は、
前記保留表示制御手段によって前記複数回の変動のうちの最終変動よりも前の変動において前記特殊表示態様への変化が行われた場合、当該前の変動後も前記遮蔽演出を継続して前記遮蔽画像の表示を維持することを特徴とする遊技機。
【手続補正２】
【補正対象書類名】明細書
【補正対象項目名】０００７
【補正方法】変更
【補正の内容】
【０００７】
前述の課題を解決し、目的を達成するため、本発明にかかる遊技機は、所定の始動領域を遊技球が通過すると、判定情報を取得する取得手段と、前記取得手段によって取得された判定情報を所定の上限数まで記憶可能な記憶手段と、前記記憶手段に記憶された判定情報のうちのいずれかに基づいて、遊技者にとって有利な特別遊技を行うか否かを判定する特別遊技判定を行う特別遊技判定手段と、前記特別遊技判定手段によって特別遊技判定が行われると、表示手段において、所定の演出図柄を変動させた後に当該特別遊技判定の判定結果を示すように停止させる図柄制御手段と、前記表示手段において、前記演出図柄の背面に所定の背景画像を表示させることが可能な背景画像表示制御手段と、前記図柄制御手段によって演出図柄が変動されているときに、前記表示手段において、前記特別遊技判定の判定結果に基づき前記演出図柄とは異なる所定の演出画像を表示させる所定の演出を実行可能な第１演出実行手段と、前記取得手段によって判定情報が取得されると、当該判定情報に基づく特別遊技判定が行われる前に、当該判定情報に基づいて前記特別遊技を行うか否かを判定する事前判定を行う事前判定手段と、前記記憶手段に判定情報が記憶されると、当該判定情報に対応する保留画像を通常表示態様で前記表示手段の所定の保留表示領域に表示させた後に、当該判定情報に基づき行われた事前判定の判定結果に応じて、当該判定情報に対応する保留画像を前記通常表示態様とは異なる特殊表示態様に変化させることが可能な保留表示制御手段と、前記保留表示制御手段によって特殊表示態様への変化が行われる場合、前記背景画像表示制御手段によって表示された背景画像および前記第１演出実行手段によって実行された演出にかかる演出画像を遮蔽する一方で、前記図柄制御手段によって表示された演出図柄および前記保留表示制御手段によって表示されたいずれの保留画像も遮蔽することがない遮蔽画像を前記表示手段に表示させる遮蔽演出を実行可能な第２演出実行手段と、前記第２演出実行手段によって遮蔽演出が行われているときに、前記保留表示制御手段によって表示されている保留画像が前記特殊表示態様に変化される可能性があることを示唆する示唆演出を前記保留表示領域において実行可能な第３演出実行手段と、を備え、前記第２演出実行手段は、前記図柄制御手段によって図柄が複数回変動される間、前記遮蔽演出を継続して行うことが可能であり、前記保留表示制御手段は、前記第２演出実行手段によって遮蔽演出が複数回の変動を跨いで行われる場合、当該遮蔽演出が行われている複数回の変動のうちのいずれかの変動で前記特殊表示態様へ変化される保留画像を前記特殊表示態様に変化させることが可能であり、前記第３演出実行手段によって示唆演出が行われた後に、前記特殊表示態様へ変化される保留画像を前記特殊表示態様に変化させ、前記第２演出実行手段は、前記保留表示制御手段によって前記複数回の変動のうちの最終変動よりも前の変動において前記特殊表示態様への変化が行われた場合、当該前の変動後も前記遮蔽演出を継続して前記遮蔽画像の表示を維持することを特徴とする。
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
縦方向及び横方向と、着用者の肌に対向する肌対向面及びその反対側の非肌対向面とを有し、前記縦方向に並ぶ前胴回り域と、後胴回り域と、前記前後胴回り域間に位置する股間域とを含み、前記股間域から前記前後胴回り域へ延び出す吸収構造体を備える使い捨て着用物品であって、
前記吸収構造体は、前記縦方向に延びる吸収体と、
前記吸収体の両側縁から前記横方向両外側に延び出す一対のサイドフラップとを備え、
前記一対のサイドフラップはそれぞれ、
前記吸収体の側縁から前記横方向に離間して前記縦方向に延びる遠位縁と、
前記吸収体の側縁と前記遠位縁との間の前記肌対向面に位置して前記縦方向に延びる分岐線と、
前記分岐線から分岐して前記着用物品の縦方向中心線に向かう方向に延び出す防漏カフ部と、
前記分岐線と前記遠位縁との間に位置して前記縦方向に延びるレッグ弾性部とを備え、
前記防漏カフ部と前記レッグ弾性部とは、前記分岐線において互いに接合され、
前記防漏カフ部は、前記分岐線から前記横方向に離間して前記縦方向に延びる自由縁を有し、前記自由縁に沿って防漏カフ弾性部材が伸長状態で接合され、
前記レッグ弾性部が、前記縦方向に延びるとともに前記横方向寸法が互いに等しい３つのサブ領域に区画され、
前記サブ領域のそれぞれに、脚回り弾性部材が前記縦方向に伸長状態で接合され、
前記レッグ弾性部の縦方向両端部に位置するレッグ弾性部前端部及びレッグ弾性部後端部がそれぞれ前記前胴回り域及び前記後胴回り域に接合されることを特徴とする、着用物品。
【請求項２】
前記サイドフラップにおいて、前記分岐線と前記防漏カフ弾性部材との間であって前記分岐線に接する位置に、分岐線弾性部材が前記縦方向に伸長状態で接合される、請求項１に記載の着用物品。
【請求項３】
前記レッグ弾性部において、前記分岐線に隣接する前記サブ領域に含まれる前記脚回り弾性部材の収縮力の方が、前記遠位縁に隣接する前記サブ領域に含まれる前記脚回り弾性部材の収縮力よりも大きい、請求項１又は２に記載の着用物品。
【請求項４】
前記一対の前記防漏カフ部に配置された前記防漏カフ弾性部材が、前記横方向において前記吸収体の両側縁の外側に位置する、請求項１から３のいずれかに記載の着用物品。
【請求項５】
前記サイドフラップにおいて、前記分岐線よりも前記横方向内側に側方弾性部材が伸長状態で接合され、前記側方弾性部材は前記吸収体の側縁に沿って前記縦方向に延びる、請求項１から４のいずれかに記載の着用物品。
【請求項６】
前記防漏カフ弾性部材の収縮力が、前記脚回り弾性部材の収縮力より大きい、請求項１から５のいずれかに記載の着用物品。
【請求項７】
前記前後胴回り域に接合された前記サイドフラップ前後端部の平面視において、前記着用物品の前記縦方向中心線から遠ざかる方向に沿って順に、前記防漏カフ弾性部材、前記分岐線弾性部材、前記脚回り弾性部材が並ぶ、請求項２に記載の着用物品。
【請求項８】
前記前後胴回り域に前後胴回り弾性部材が前記横方向に伸長状態で接合され、前記サイドフラップ前後端部が接合された前記前後胴回り域の平面視において、前記胴回り弾性部材と、前記防漏カフ弾性部材、前記分岐線弾性部材、及び前記脚回り弾性部材とが交差する、請求項２又は７に記載の着用物品。
【手続補正２】
【補正対象書類名】明細書
【補正対象項目名】００３８
【補正方法】変更
【補正の内容】
【００３８】
上記段落００３７に開示した着用物品に関する本発明は、少なくとも下記の実施の形態を含むことができる。該実施の形態は、分離して又は互いに組み合わせて採択することができる。
（１）サイドフラップにおいて、分岐線と防漏カフ弾性部材との間であって分岐線に接する位置に、分岐線弾性部材が縦方向に伸長状態で接合される。
（２）レッグ弾性部において、分岐線に隣接するサブ領域に含まれる脚回り弾性部材の収縮力の方が、遠位縁に隣接するサブ領域に含まれる脚回り弾性部材の収縮力よりも大きい。
（３）一対の防漏カフ部に配置された防漏カフ弾性部材が、横方向において吸収体の両側縁の外側に位置する。
（４）サイドフラップにおいて、分岐線よりも横方向内側に側方弾性部材が伸長状態で接合され、側方弾性部材は吸収体の側縁に沿って縦方向に延びる。
（５）防漏カフ弾性部材の収縮力が、脚回り弾性部材の収縮力より大きい。
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
液透過性の表面シート、液不透過性の裏面シート及び前記表面シートと前記裏面シートとの間に設けられる吸収体を有する吸収性物品であって、
前記吸収体において、前記吸収性物品の幅方向の中心を含む中央領域に設けられる厚さ方向に突出された中高部と、
平面視において前記中高部の少なくとも一部に重なり、前記吸収体より非肌当接面側に設けられる、多数の粒状体を含む粒状層とを有する吸収性物品。
【請求項２】
前記粒状層は、平面視において前記中高部の外縁を跨がるように設けられる請求項１に記載の吸収性物品。
【請求項３】
前記粒状層は、分離壁により分けられた複数の粒状区分から構成される請求項１又は２に記載の吸収性物品。
【請求項４】
前記粒状区分は、平面視において前記中高部の外縁を跨ぐように設けられる請求項３に記載の吸収性物品。
【請求項５】
前記裏面シートの非肌当接面において接着剤が塗布された接着領域を有し、
前記接着領域は、平面視において前記分離壁を跨ぐように設けられる請求項３又は４に記載の吸収性物品。
【請求項６】
前記吸収体は、トウからなる繊維集合体を含む請求項１乃至５のいずれか一項に記載の吸収性物品。
【請求項７】
前記粒状体は、樹脂発泡ビーズ粒である請求項１乃至６のいずれか一項に記載の吸収性物品。
【請求項８】
前記粒状層は、前記吸収体と前記裏面シートとの間に設けられ、吸水性を有する繊維を含み、
前記繊維と前記粒状体とは互いに接合されていない請求項１乃至７のいずれか一項に記載の吸収性物品。
【請求項９】
前記粒状層の厚さ方向の反発力は、前記中高部の反発力より大きい請求項１乃至８のいずれか一項に記載の吸収性物品。
【請求項１０】
前記吸収体には、前記幅方向又は長手方向に沿った複数のスリットが形成されている請求項１乃至９のいずれか一項に記載の吸収性物品。
【請求項１１】
液透過性の表面シート、液不透過性の裏面シート及び前記表面シートと前記裏面シートとの間に設けられる吸収体を有する吸収性物品であって、
前記吸収体において、前記吸収性物品の幅方向の中心を含む中央領域に設けられる厚さ方向に突出された中高部と、
平面視において前記中高部の少なくとも一部に重なり、前記吸収体より非肌当接面側に設けられる、多数の粒状体を含む粒状層とを有し、
前記粒状層は、当該粒状層に対する圧力に応じて、前記粒状体が移動し、着用者の体の形状に追従するように前記吸収体の形状を変形させる吸収性物品。
【手続補正２】
【補正対象書類名】明細書
【補正対象項目名】００１３
【補正方法】変更
【補正の内容】
【００１３】
吸収性物品１は、表面シート１０と、裏面シート２０と、表面シート１０と裏面シート２０との間に設けられる吸収体３０と、吸収体３０より非肌当接面側に設けられる粒状層６０とを有する。吸収体３０には、吸収性物品１の幅方向Ｗの中心ＷＣを含む中央領域ＣＲに設けられる厚さ方向Ｔに突出された中高部３１が設けられる。粒状層６０は、平面視において中高部３１の少なくとも一部に重なるように設けられる。吸収性物品１の幅方向Ｗにおいて中央領域ＣＲに隣り合う側部領域ＳＲには、幅方向Ｗの外側に延出するウイング部４０及びヒップフラップ部５０が設けられる。側部領域ＳＲは、ウイング部４０の長手方向Ｌの前方側の根元部分より幅方向Ｗの外側の領域である。中央領域ＣＲは、幅方向Ｗの中心ＷＣを含み、ウイング部４０の長手方向Ｌの前方側の根元部分より幅方向Ｗの内側の領域である。ここで、吸収性物品１の平面視とは、厚さ方向Ｔにおいて離れた位置から展開状態の吸収性物品１を視認したものである。また、吸収性物品１の展開状態とは、図１に示す状態であり、吸収性物品が折り畳まれてなく、ウイング部４０及びヒップフラップ部５０が厚さ方向Ｔにおいて中央領域ＣＲに重なっていない状態である。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
縦方向と、前記縦方向と交差する横方向と、を有し、
排泄物を吸収する吸収体を備えた吸収性本体と、
前記吸収性本体の一端側に位置する背側胴回り部と、
前記吸収性本体の他端側に位置する腹側胴回り部と、を備える使い捨ておむつであって、
前記横方向における前記腹側胴回り部の中央部であって、前記縦方向における前記腹側胴回り部の上端には、前記横方向における幅が前記吸収体の最大幅よりも小さいカット部が設けられており、
前記カット部の前記横方向における両側部には、前記横方向に沿った弾性部材が備えられており、
前記弾性部材は、第一弾性部材であり、
前記カット部の前記縦方向における下方、かつ、吸収体の前記縦方向における上方には、前記腹側胴回り部の前記横方向における腹側両端部の一方から他方まで前記横方向に沿って延びる第二弾性部材が設けられており、
前記縦方向において前記第二弾性部材よりも下方には、前記腹側両端部の一方から他方まで前記横方向に沿って延びる一方で前記吸収体上において不連続部分を備える第三弾性部材が設けられており、
前記腹側胴回り部に設けられた弾性部材の中で最も伸縮力が大きい弾性部材は、第一弾性部材乃至前記第三弾性部材のうちの前記第二弾性部材であることを特徴とする使い捨ておむつ。
【請求項２】
請求項１に記載の使い捨ておむつであって、
前記第一弾性部材は、前記両側部から前記腹側両端部まで延びており、
前記第一弾性部材の本数は、前記第二弾性部材の本数よりも少ないことを特徴とする使い捨ておむつ。
【請求項３】
請求項１又は請求項２に記載の使い捨ておむつであって、
前記第二弾性部材は、前記縦方向に複数並んで設けられており、
複数の前記第二弾性部材のうちの前記縦方向における最も上方に位置する第二弾性部材の伸縮力が、複数の前記第二弾性部材の中で最も小さいことを特徴とする使い捨ておむつ。
【請求項４】
請求項３に記載の使い捨ておむつであって、
前記縦方向において前記第二弾性部材よりも下方には、前記腹側両端部の一方から他方まで前記横方向に沿って延びる一方で前記吸収体上において不連続部分を備える第三弾性部材が設けられており、
複数の前記第二弾性部材のうちの前記縦方向における最も下方に位置する第二弾性部材の伸縮力が、複数の前記第二弾性部材の中で最も大きいことを特徴とする使い捨ておむつ。
【請求項５】
請求項１乃至請求項４のいずれかに記載の使い捨ておむつであって、
前記腹側胴回り部の前記横方向における腹側両端部と前記背側胴回り部の前記横方向における背側両端部が連結されていることを特徴とする使い捨ておむつ。
【請求項６】
請求項５に記載の使い捨ておむつであって、
前記腹側胴回り部の前記上端の、前記縦方向における位置と、前記背側胴回り部の上端の、前記縦方向における位置と、を一致させた状態で、前記腹側両端部と前記背側両端部が連結されており、
前記腹側胴回り部の前記上端には、前記弾性部材が前記両側部から前記腹側両端部まで延びることにより、弾性を有する腹側上端弾性領域が形成されており、
前記背側胴回り部の前記上端には、弾性部材が前記背側両端部の一方から他方まで延びることにより、弾性を有する背側上端弾性領域が形成されており、
前記腹側上端弾性領域と前記背側上端弾性領域とは、連結された前記腹側両端部及び前記背側両端部において連続していることを特徴とする使い捨ておむつ。
【請求項７】
請求項１乃至請求項６のいずれかに記載の使い捨ておむつであって、
前記カット部の前記横方向における両側部に備えられた前記弾性部材の、最も前記カット部に近い端には、接着剤が塗られておらず、
該端以外に塗られた接着剤により、前記弾性部材が前記腹側胴回り部に接合されていることを特徴とする使い捨ておむつ。
【手続補正２】
【補正対象書類名】明細書
【補正対象項目名】０００６
【補正方法】変更
【補正の内容】
【０００６】
上記目的を達成するための主たる発明は、
縦方向と、前記縦方向と交差する横方向と、を有し、
排泄物を吸収する吸収体を備えた吸収性本体と、
前記吸収性本体の一端側に位置する背側胴回り部と、
前記吸収性本体の他端側に位置する腹側胴回り部と、を備える使い捨ておむつであって、
前記横方向における前記腹側胴回り部の中央部であって、前記縦方向における前記腹側胴回り部の上端には、前記横方向における幅が前記吸収体の最大幅よりも小さいカット部が設けられており、
前記カット部の前記横方向における両側部には、前記横方向に沿った弾性部材が備えられており、
前記弾性部材は、第一弾性部材であり、
前記カット部の前記縦方向における下方、かつ、吸収体の前記縦方向における上方には、前記腹側胴回り部の前記横方向における腹側両端部の一方から他方まで前記横方向に沿って延びる第二弾性部材が設けられており、
前記縦方向において前記第二弾性部材よりも下方には、前記腹側両端部の一方から他方まで前記横方向に沿って延びる一方で前記吸収体上において不連続部分を備える第三弾性部材が設けられており、
前記腹側胴回り部に設けられた弾性部材の中で最も伸縮力が大きい弾性部材は、第一弾性部材乃至前記第三弾性部材のうちの前記第二弾性部材であることを特徴とする使い捨ておむつである。
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
所定条件の成立に基づいて始動情報を取得し、当該取得された始動情報に基づいて抽選及び動的表示の種類の選択を実行するとともに当該選択された種類の動的表示を実行可能とし、前記抽選結果に基づいて遊技者に利益を付与する特別遊技状態に制御する遊技機であって、
前記動的表示が開始されるまでに所定の上限を限度として前記始動情報を前記所定条件の成立毎に記憶する保留記憶手段と、
前記始動情報を一時的に記憶する始動情報記憶手段と、
前記動的表示の開始時に、前記動的表示を開始する始動情報を前記保留記憶手段から前記始動情報記憶手段に一時的に記憶するとともに、前記始動情報記憶手段に記憶した始動情報に基づいて前記抽選及び前記動的表示の種類の選択を実行する動的表示時判定手段と、
前記動的表示が開始される前に、前記始動情報を前記始動情報記憶手段に一時的に記憶し、前記始動情報記憶手段に記憶した始動情報に基づいて前記動的表示の種類を選択するとともに前記抽選の結果を事前に判定する事前判定手段と、を備え、
前記動的表示判定手段及び前記事前判定手段における前記動的表示の種類の選択を共通の処理を用いて実行することを特徴とする遊技機。
【手続補正２】
【補正対象書類名】明細書
【補正対象項目名】０００６
【補正方法】変更
【補正の内容】
【０００６】
本発明の代表的な一形態では、所定条件の成立に基づいて始動情報を取得し、当該取得された始動情報に基づいて抽選及び動的表示の種類の選択を実行するとともに当該選択された種類の動的表示を実行可能とし、前記抽選結果に基づいて遊技者に利益を付与する特別遊技状態に制御する遊技機であって、前記動的表示が開始されるまでに所定の上限を限度として前記始動情報を前記所定条件の成立毎に記憶する保留記憶手段と、前記始動情報を一時的に記憶する始動情報記憶手段と、前記動的表示の開始時に、前記動的表示を開始する始動情報を前記保留記憶手段から前記始動情報記憶手段に一時的に記憶するとともに、前記始動情報記憶手段に記憶した始動情報に基づいて前記抽選及び前記動的表示の種類の選択を実行する動的表示時判定手段と、前記動的表示が開始される前に、前記始動情報を前記始動情報記憶手段に一時的に記憶し、前記始動情報記憶手段に記憶した始動情報に基づいて前記動的表示の種類を選択するとともに前記抽選の結果を事前に判定する事前判定手段と、を備え、前記動的表示判定手段及び前記事前判定手段における前記動的表示の種類の選択を共通の処理を用いて実行することを特徴とする。
【手続補正書】
【提出日】平成29年3月28日(2017.3.28)
【手続補正１】
【補正対象書類名】明細書
【補正対象項目名】００２１
【補正方法】変更
【補正の内容】
【００２１】
図４に示すように、開閉カバー５が閉鎖状態であるときには、開閉カバー５の湾曲面５５ａと、搬送ガイド部２２の壁面２２ａとが収容室ＳＰの内壁の一部を構成するとともに、開閉カバー５のガイド面５５ｂと、搬送ガイド部２２のガイド面２２ｂとが僅かな間隙をもって対向配置されている。この間隙は、ロール紙ＲＰから繰り出される連続紙ＣＰが収容室ＳＰからプラテンローラ１４へ向かう通紙ルートとなっている。なお、通紙ルートにおいて当該間隙では、開閉カバー５のガイド面５５ｂにセンサ１３ａ，１３ｂが設置されており、当該間隙を連続紙ＣＰが通過するとき位置検出マークＭ，Ｍ’の一方のマークの検出を行う。
【手続補正２】
【補正対象書類名】明細書
【補正対象項目名】００２３
【補正方法】変更
【補正の内容】
【００２３】
（２）フレーム４の構成
図１および図３に示したように、本実施形態のプリンタ１は、本体ケース３およびフロントカバー２によってプリンタハウジングが形成されている。そして、フレーム４は、フロントカバー２および本体ケース３の間に、つまりプリンタハウジング内に配設されている。
以下、フレーム４の構成について、図２、図３、図５および図６を参照して説明する。図５は、本実施形態のプリンタ１のフレーム４の底面図である。図６は、本実施形態のプリンタ１のフレーム４の底面側から見た斜視図である。
【手続補正３】
【補正対象書類名】明細書
【補正対象項目名】００２８
【補正方法】変更
【補正の内容】
【００２８】
リブ群３１は、プリンタ１の横方向（つまり、収容室ＳＰに収容されたロール紙ＲＰの軸が向けられた方向）に設けられている横リブ３１ｕ，３１ｖと、プリンタ１の縦方向に設けられた縦リブ３１ａ〜３１ｆと、を含む。リブ群３１は、第１の突出部の一例である。図７に示すように、横リブ３１ｕ，３１ｖは、それぞれ縦方向に離間して平行に配置されている。縦リブ３１ａ〜３１ｆの各々は、横リブ３１ｕ，３１ｖの間を横方向に所定の距離を離間させて順に配列されている。リブ群３１の横リブ３１ｕ，３１ｖおよび縦リブ３１ａ，３１ｆによって形成される矩形形状は、フレーム４の開口４３ａの周縁の形状と合致したものとなっている。
なお、後述するように、縦リブ３１ａ〜３１ｆは、フレーム４に設けられた収容室ＳＰの底面４３に沿って凹形状となるように湾曲し、その凹形状がロール紙ＲＰの外周面に沿うように形成されている。
【手続補正４】
【補正対象書類名】明細書
【補正対象項目名】００２９
【補正方法】変更
【補正の内容】
【００２９】
矩形リブ３３は、本体ケース３がフレーム４と組み付けられたときにフレーム４のバッテリハウジング４２の長手方向に延伸し、フレーム４のバッテリハウジング４２の開口４２ａから突出してバッテリを載置させるリブである。
リブ群３２は、矩形リブ３３の前方の長辺に相当する横リブ３３ａから前方に向けて突出する縦リブ３２ａ〜３２ｇを含む。図７では、縦リブ３２ａ〜３２ｇの各々が所定の距離だけ離間して配列している例を示している。
矩形リブ３３の横リブ３３ａおよび縦リブ３２ａ〜３２ｇは、第２の突出部の一例である。